(57)【要約】【課題】各種情報を多重もしくは切換表示するマルチディスプレイと称されるディスプレイ装置を利用した車両表示装置に関し、ディスプレイ装置の自由度を活用した斬新な演出を可能とし、商品性を向上させ得る車両用表示装置を提供する。【解決手段】車両用表示装置１は、各種情報を利用者に表示するマルチディスプレイ装置１０と、このマルチディスプレイ装置１０に表示する背景画像２０１ａ〜２０１ｄを記憶する画像記憶手段１０５と、所定の入力情報に応じ、異なる背景画像２０１ａ〜２０１ｄを画像記憶手段１０５から選択してマルチディスプレイ装置１０に切換え表示させる制御手段１０３とを有し、背景画像が車体の外観デザイン像を含むものである。【選択図】  図２
2008250329.tif 000002
【特許請求の範囲】
【請求項１】
各種情報を利用者に表示するディスプレイ装置と、
このディスプレイ装置に表示する背景画像を記憶する画像記憶手段と、
所定の入力情報に応じて前記背景画像を選択し前記ディスプレイ装置に表示させる制御手段と、
を備え、
前記背景画像が車体の外観デザイン像を含むことを特徴とする車両用表示装置。
【請求項２】
前記外観デザイン像が前記入力情報に応じて異なることを特徴とする請求項１記載の車両用表示装置。
【請求項３】
前記外観デザイン像が前記車体のフロントビュー画像もしくはリアビュー画像であることを特徴とする請求項１記載の車両用表示装置。
【請求項４】
前記制御手段は利用者が前記車両のドアを開いた場合、もしくは前記利用者が前記車両のキースイッチを操作した場合に前記背景画像として前記フロントビュー画像を選択して表示させることを特徴とする請求項４記載の車両用表示装置。
【請求項５】
前記制御手段は前記利用者が前記車両のキースイッチをオフ操作した場合に前記背景画像として前記リアビュー画像を選択して表示させることを特徴とする請求項４記載の車両用表示装置。
【請求項６】
前記利用者に聴覚情報を提供する聴覚情報再生手段を有し、前記制御手段は、前記ディスプレイ装置に前記背景画像を表示するとき、前記聴覚情報再生手段に前記聴覚情報を再生させることを特徴とする請求項１記載の車両用表示装置。
【請求項７】
前記聴覚情報が効果音または挨拶メッセージであることを特徴とする請求項６記載の車両用表示装置。
【発明の詳細な説明】
【技術分野】
【０００１】
本発明は、車両に搭載され、利用者に各種情報を提供する車両用表示装置に関し、特に各種情報を多重もしくは切換表示するマルチディスプレイと称されるディスプレイ装置を利用し、その時々の状況に合った演出および視覚情報、聴覚情報の提供を行う車両表示装置に関する。
【背景技術】
【０００２】
この種のディスプレイ装置を利用した車両用表示装置として、例えば利用者の好みに応じて表示仕様を変更するものが、下記特許文献１、２に記載されている。
【特許文献１】特公昭６４−００６４７号公報
【特許文献２】特開平１２−２３８５５２号公報
【発明の開示】
【発明が解決しようとする課題】
【０００３】
上記特許文献１、２は、利用者の好みに応じて車両用表示装置の表示仕様を変更するものであり、その時々の状況に合った演出および情報提供が行われている。しかしながら、いずれも表示仕様に汎用性を持たせるものであり、その背景の演出に関しては、改善の余地があった。特に今後、益々、車両用表示装置に利用されるディスプレイ装置の大型化、高精細化、高画質化が予想され、ディスプレイ装置の自由度を活かした演出が求められる。
【０００４】
本発明は、上記の点に鑑みてなされたものであり、その主な目的は、ディスプレイ装置の自由度を活用した斬新な演出を可能とし、商品性を向上させ得る車両用表示装置を提供するものである。
【課題を解決するための手段】
【０００５】
本発明は、前記目的を達成するため、各種情報を利用者に表示するディスプレイ装置と、このディスプレイ装置に表示する背景画像を記憶する画像記憶手段と、所定の入力情報に応じて前記背景画像を選択し前記ディスプレイ装置に表示させる制御手段と、を備え、前記背景画像が車体の外観デザイン像を含むことを特徴とする。
【０００６】
また本発明は、前記外観デザイン像が前記入力情報に応じて異なることを特徴とする。
【０００７】
また本発明は、前記外観デザイン像が前記車体のフロントビュー画像もしくはリアビュー画像であることを特徴とする。
【０００８】
また本発明は、前記制御手段は利用者が前記車両のドアを開いた場合、もしくは前記利用者が前記車両のキースイッチを操作した場合に前記背景画像として前記フロントビュー画像を選択して表示させることを特徴とする。
【０００９】
また本発明は、前記制御手段は前記利用者が前記車両のキースイッチをオフ操作した場合に前記背景画像として前記リアビュー画像を選択して表示させることを特徴とする。
【００１０】
また本発明は、前記利用者に聴覚情報を提供する聴覚情報再生手段を有し、前記制御手段は、前記ディスプレイ装置に前記背景画像を表示するとき、前記聴覚情報再生手段に前記聴覚情報を再生させることを特徴とする。
【００１１】
また本発明は、前記聴覚情報が効果音または挨拶メッセージであることを特徴とする。
【発明の効果】
【００１２】
本発明は、初期の目的を達成でき、ディスプレイ装置の自由度を活用した斬新な演出を可能とし、商品性を向上させ得る車両用表示装置を提供することができる。
【発明を実施するための最良の形態】
【００１３】
以下、本発明の実施の形態を添付図面に基づいて説明する。
図１は、車両用表示装置の外観を示す正面図である。ここで車両用表示装置１は、各種情報表示を行うマルチディスプレイ装置（ディスプレイ装置）１０と、指針式のアナログゲージ２０とを有している。マルチディスプレイ装置１０としては、例えばＴＦＴ型ＬＣＤ素子、有機ＥＬ素子が適用可能である。またアナログゲージ２０はそれぞれ回転計２１，燃料計２２，温度計２３を構成する。
【００１４】
図２は、図１の車両用表示装置１のシステム構成を示すブロック図である。ここで車両用表示装置１は、各種情報の入出力を行う車両インターフェース端子１０１と、インターフエース手段１０２と、このインターフェース手段１０２に接続される制御手段１０３と、この制御手段１０３に接続されるプログラム記憶手段１０４及び画像記憶手段１０５と、制御手段１０３の出力側に各々接続される表示駆動手段１０６及びゲージ駆動手段１０７及び音／音声再生手段１０８と、これら表示駆動手段１０６，ゲージ駆動手段１０７，音／音声再生手段１０８の出力側にそれぞれ接続されるマルチディスプレイ装置１０及びアナログゲージ２０及びスピーカ１０９とで構成されている。なお本例では音／音声再生手段１０８とスピーカ１０９とで聴覚情報再生手段が構成されている。
【００１５】
制御手段１０３は、マイクロコンピュータからなり、車両インターフェース端子１０１及びインターフエース手段１０２を介して受信される入力情報（信号）を処理し、その処理結果に基づいてマルチディスプレイ装置１０、アナログゲージ２０、スピーカ１０９のそれぞれを、表示駆動手段１０６、ゲージ駆動手段１０７、音／音声再生手段１０８を通じて動作させる。
【００１６】
プログラム記憶手段１０４には、制御手段１０３によって実行される入力情報処理プログラムが格納され、一方、画像記憶手段１０５には、マルチディスプレイ装置１０に表示する背景画像（背景画像データ）が格納されている。なおこれら入力情報処理プログラムや背景画像は、マイクロコンピュータ（制御手段１０３）内に用意された記憶手段に格納してもよく、このようにすれば、プログラム記憶手段１０４及び画像記憶手段１０５は不要となる。同様に表示駆動手段１０６、ゲージ駆動手段１０７、音／音声再生手段１０８の機能をマイクロコンピュータ（制御手段１０３）内に取り込むこともでき、このようにすれば、表示駆動手段１０６、ゲージ駆動手段１０７、音／音声再生手段１０８は不要となる。さらにスピーカ１０９は、車載オーディオ機器のスピーカと兼用することもできる。
【００１７】
また前記入力情報としては、例えば車両状態を検出する状態検出手段（一例として速度センサ、液面センサ等のセンサ類やカメラ等の撮像機器）、各種スイッチ手段（一例としてドアスイッチ、イグニッションスイッチ、ライトスイッチ）、車両搭載機器（一例としてオーディオ、テレビ、エアコン、キーレスエントリシステム、ナビゲーションシステム）からの情報（これらをまとめて車両情報という）の他、後述する時刻情報、日付情報、天候（天気）情報、計時情報（例えば走行時間やエンジン稼動時間）が含まれ、その制御手段１０３への入力経路も車両インターフェース（車両インターフェース端子１０１及びインターフエース手段１０２）を経由したものに限らない。
【００１８】
図３は、画像記憶手段１０５の記憶内容を示す図である。ここで画像記憶手段１０５の画像記憶エリアには、予め異なる背景画像（データ）２０１ａ〜２０１ｄが格納されており、図中、最も左側に示すエリア番号１〜５に対応する符号２００ａ〜２００ｅは、背景画像２０１ａ〜２０１ｄの選択タイミングを示す。また画像記憶手段１０５には、画像記憶エリアに加えて音／音声記憶エリアが用意され、そこには背景画像２０１ａ〜２０１ｄに対応した音／音声（データ）２０２ａ〜２０２ｅが格納されている。
【００１９】
図４〜図１０は、マルチディスプレイ装置１０に表示される背景画像２０１ａ〜２０１ｄと、表示情報（各種情報）の表示例を示す図である。
【００２０】
次に図４〜図１０を用いて本発明の特徴について説明する。
制御手段１０３は、インターフェース手段１０２を介して車両情報（入力情報）を入手し、この車両情報に応じ、画像記憶手段１０５から背景画像２０１ａ〜２０１ｄを選択し、表示駆動手段１０６を介してマルチディスプレイ装置１０へ表示する。このとき、背景画像２０１ａ〜２０１ｄに対応した音／音声の再生を音／音声再生手段１０８及びスピーカ１０９を介して行う。
【００２１】
具体的には、利用者が車両のドアを開いた場合、車両情報として図示しないドアスイッチからの入力信号が車両インターフェース端子１０１及びインターフエース手段１０２を介して制御手段１０３に受信され、制御手段１０３は、ドアスイッチからの入力信号に基づいてドアの開閉状態を判定し、ドア「開」（ドア「閉」からドア「開」に切り替わった）と判断すると、画像記憶手段１０５の選択タイミング２００ａ〜２００ｅから1番目の背景画像２０１ａを選択し、マルチディスプレイ装置１０ヘオープニング画像を表示させる（図４参照）。
【００２２】
この背景画像２０１ａは、車体の外観像の一部を取り入れた複数フレームの背景画像として画像記憶手段１０５に格納されており、制御手段１０３は、この背景画像２０１ａを動画として再生させ（例えば、２４フレーム／秒）、ドライバー（利用者）を運転席に迎えたことを歓迎する演出を行う。
【００２３】
また、このとき、制御手段１０３は、背景画像２０１ａの動画再生と平行して、画像記憶手段１０５の音／音声エリアに格納されている音楽２０２ａを効果音（聴覚情報）として再生させる。これにより視覚による演出効果に加えて聴覚による演出効果も持たせている。
【００２４】
次に利用者が図示しないイグニッションスイッチ（キースイッチ）を操作した場合、車両情報としてイグニッションスイッチからの入力信号が車両インターフェース端子１０１及びインターフエース手段１０２を介して制御手段１０３に受信され、制御手段１０３は、イグニッションスイッチからの入力信号に基づいてその操作状態（操作の有無）を判定し、操作されたと判断すると、画像記憶手段１０５の選択タイミング２００ａ〜２００ｅから２番目の背景画像２０１ｂを選択し、マルチディスプレイ装置１０へ初期画像として表示させる（図５参照）。
【００２５】
この背景画像２０１ｂは、車体のフロントビュー画像（外観画像）を風景画像（例えば道路や建物等の人工風景や木々、森、海、山等の自然風景）に組み合わせてなり、利用者に対して、これから運転開始となる臨場感を演出するものである。
【００２６】
このとき、制御手段１０３は背景画像２０１ｂの再生と平行して、画像記憶手段１０５の音／音声エリアに格納されている音声２０２ｂを再生する。この音声２０２ｂは、「おはようございます」なる挨拶メッセージ（聴覚メッセージ）として再生され、これにより利用者と車両との疑似コミュニケーションを演出するものである。
【００２７】
なお、このような挨拶メッセージとなる音声２０２ｂは、予め複数種類用意してあり（例えば「こんにちは」や「こんばんは」）、車両情報として時刻情報を入手することで、その時刻に合った挨拶が選択されるようになっている。また、このような挨拶メッセージは、文字情報（各種情報）として表示することもできる。
【００２８】
次に背景画像２０１ｂと音声２０２ｂの再生が終わり、走行スタンバイ状態となった場合（このときエンジンが稼動状態にあるものとする）、制御手段１０３は、背景画像２０１ｂの表示は継続しながら、その背景上に車速「０ｋｍ／ｈ」なる車速情報（各種情報）及び「ＰＲＮＤ４３２」なるシフトポジション情報（各種情報）を表示させる（図６参照）。
【００２９】
なお車速値は、車両インターフェース端子１０１及びインターフエース手段１０２を介して受信され、制御手段１０３によって演算処理して得られる、図示しない車速センサの検出状態（車両情報）に基づく値であり、またシフトポジション情報も同様に、図示しないシフトポジションセンサの検出状態（車両情報）に基づくものである。
【００３０】
次に車両が走行を開始し、車速が第１の所定速度（例えば「１０ｋｍ／ｈ」）に達すると、制御手段１０３は、画像記憶手段１０５の選択タイミング２００ａ〜２００ｅから３番目の背景画像２０１ｂ（２番目の背景画像と同じ）を選択して背景画像２０１ｂ表示とシフトポジション情報の表示を継続しながら、画像記憶手段１０５の音／音声エリアに格納されている音声２０２ｃを再生する（図７）。この音声２０２ｃは、「安全運転を心がけましょう」なる注意喚起メッセージ（聴覚情報）として再生され、これも利用者と車両との疑似コミュニケーションを演出するものである。また、このような注意喚起メッセージは、文字情報（各種情報）として表示することもできる。
【００３１】
次に音声２０２ｃの再生終了後、車速が一定速度以下（例えば１００ｋｍ／ｈ以下）である限り、制御手段１０３は、背景画像２０１ｂ及びシフトポジション情報を表示する（図８）。
【００３２】
次に車速が一定速度以上（例えば、１０１ｋｍ／ｈ以上）に達すると、制御手段１０３は、画像記憶手段１０３の選択タイミング２００ａ〜２００ｅから４番目の背景画像２０１ｃを選択し、背景画像としてシフトポジション情報と共にマルチディスプレイ装置１０へ表示する（図９）。
【００３３】
この背景画像２０１ｃは、流れるイメージの風景画像に車体のフロントビュー画像（外観画像）を組み合わせてなり、ハイスピードで走行する車両の姿を演出したものである。
【００３４】
また、このとき、制御手段１０３は背景画像２０１ｃの再生と平行して、画像記憶手段１０５の音／音声エリアに格納されている音声２０２ｄを再生させる。この音声２０２ｄは、「スピード注意」なる注意喚起メッセージ（聴覚情報）として再生される。なお車速が一定速度以下（例えば、１０１ｋｍ／ｈ以下）であれば、図８に示すように、背景画像２０１ｂ上にその時点での車速が表示される。
【００３５】
次に車両の停止状態でイグニッションキーがオフ操作されると、制御手段１０３は、画像記憶手段１０５の選択タイミング２００ａ〜２００ｅから５番目の背景画像２０１ｄを選択し、マルチディスプレイ装置１０ヘエンディング画像として表示させる（図１０）。
【００３６】
この背景画像２０１ｄは、車体のリアビュー画像（外観画像）に風景画像を組み合わせてなり、運転終了（エンディング）を演出するものである。
【００３７】
また、このとき、制御手段１０３は、背景画像２０１ｄの再生と平行して、画像記憶手段１０５の音／音声エリアに格納されている音声２０２ｅを再生させる。この音声２０２ｅは、「お疲れさまでした」なる挨拶メッセージ（聴覚情報）として再生され、これも利用者と車両との疑似コミュニケーションを演出するものである。また、このような挨拶メッセージは、文字情報（各種情報）として表示することもできる。
【００３８】
以上が車両のドアを開放してからイグニッションスイッチをオフするまでの車両用表示装置１の一連の表示動作例であり、この例では、イグニッションスイッチの操作情報（車両情報）、時刻情報、車速センサの車速検出情報（車両情報）からなる複数の入力情報を入手し、これらの情報に応じて背景画像２０１ａ〜２０１ｄを選択し、ディスプレイ装置１０に表示させる車両用表示装置１を例示したが、日付情報や天候（天気）情報、計時情報（例えば走行時間やエンジン稼動時間）に応じて背景画像２０１ａ〜２０１ｄを選択してもよいことは前述の通りである。
【００３９】
なお、入力情報として、日付、走行時間、天侯情報を入手し、これに応じた背景画像を選択、表示する場合（図面省略）、日付情報からは季節が、計時情報からは利用者の疲労度が、天侯情報からは路面状況等が把握可能であり、これら入力情報に応じた背景画像を用意し、選択可能なことは言うまでもない。
【００４０】
次に、図１１に基づいて、警報情報（各種情報）の報知例について説明する。
【００４１】
図１１は、外気温警報の表示例を示すものである。すなわち、制御手段１０３は、図示しない外気温センサ（状態検出手段）の検出情報（入力情報）に基づいて、外気温を演算処理するが、その処理結果において外気温が所定温度以下（例えば氷点下）である場合、制御手段１０３は、マルチディスプレイ１０の画面に、注意喚起マーク（図示省略）と共に
「外気温−２度Ｃ
路面の凍結が疑われます
スリップに注意してください」
なる警報メッセージを自動的に表示させる。
【００４２】
この警報メッセージは、警報時点で表示されている背景画像２０１ｂ〜２０１ｃ上に表示されるが、その表示形態は、背景画像２０１ｂ〜２０１ｅの例えば中央に、背景画像２０１ｂ〜２０１ｃのサイズよりも小さな表示エリア２０５を設定し、その表示エリア２０５内に警報メッセージを表示するようにしており、この例では背景画像２０１ｂ〜２０１ｃ中、表示エリア２０５に対応する領域を予め決められた色（例えば黒）に変え、そこヘ警報メッセージを予め決められた色（例えば、白い文字）で表示している。このように表示することにより、フルカラー表示となる背景画像２０１ｂ〜２０１ｅ上に警報メッセージを表示する場合でも、警報メッセージの識別性を高め、これにより利用者の注意喚起能力を向上させている。
【００４３】
なお報知する警報情報は任意であり、外気温警報に替えて、例えば、「右前タイヤ空気圧が不足しています」なるタイヤの空気圧警報を表示してもよいし、「走行可能距離５０ｋｍ給油してください」なる給油警報を表示してもよい。また、この種の警報情報は、文字（メッセージ）情報にかぎらず、所定のマークや図形だけであってもよいし、それらの表示と平行して、状況に見合った音声を再生してもよい。
【００４４】
次に、図１２に基づいて、例えばカメラの撮像情報（各種情報）の表示例について説明する。
【００４５】
図１２は、例えば暗視カメラの撮像画像（入力情報あるいは所定情報）がマルチディスプレイ１０に表示されている場合を示すもので、例えば、車両前方に障害物（例えば動物、物、人）が確認されたとき、制御手段１０３は、背景画像２０１ｂ〜２０１ｃの表示を停止し、マルチディスプレイ１０の表示画面（表示可能領域）一杯にモニター情報を表示させる。
【００４６】
このように、それまで表示されていた背景画像２０１ｂ〜２０１ｃに替えて、所定情報として撮像画像を表示することにより、注意喚起能力を向上させることができる。
【００４７】
以上のように本実施形態による車両用表示装置１は、各種情報を利用者に表示するマルチディスプレイ装置１０と、このマルチディスプレイ装置１０に表示する背景画像２０１ａ〜２０１ｄを記憶する画像記憶手段１０５と、所定の入力情報に応じ、異なる背景画像２０１ａ〜２０１ｄを画像記憶手段１０５から選択してマルチディスプレイ装置１０に切換え表示させる制御手段１０３とを有することにより、マルチディスプレイ装置の背景画像を、入力情報に応じて選択するので、マルチディスプレイ装置の自由度を活かした演出が可能となり、商品性を向上させることができる。
【００４８】
また本実施形態では、制御手段１０３が背景画像２０１ａ〜２０１ｄ上に各種情報を表示するとき、その表示エリア２０５を予め決められた色に設定することにより、背景画像２０１ａ〜２０１ｄの色合いの影響を受けることなく、常に見易い情報表示が可能となる。これにより、特に警報情報を情報を表示する場合は、利用者の注意喚起能力を向上させることができる。
【００４９】
また本実施形態では、制御手段１０３が各種情報のうち撮像情報（所定情報）を表示するとき、背景画像２０１ａ〜２０１ｄの表示を停止させることにより、背景画像２０１ａ〜２０１ｄに替えて撮像画像を表示でき、視認性や注意喚起能力を向上させることができる。
【００５０】
また本実施形態では、利用者に聴覚情報を提供する音／音声再生手段１０８とスピーカ１０９とでなる聴覚情報再生手段を有し、制御手段１０３がマルチディスプレイ装置に背景画像２０１ａ〜２０１ｄを表示するとき、聴覚情報再生手段に音楽が音声からなる聴覚情報を再生させることにより、マルチディスプレイ装置の演出効果を高めることができる。
【００５１】
また本実施形態では、背景画像２０１ａ〜２０１ｄ（背景画像２０１ａ）が動画であることにより、演出効果をより一層、高めることができる。
【００５２】
また本実施形態では、背景画像２０１ａ〜２０１ｄが車体の外観デザイン像を含み、入力情報に応じて異なる外観デザイン像を有する背景画像２０１ａ〜２０１ｄが選択的に表示されることにより、斬新性に富んだ表示を利用者に提供でき、また利用者の車両への親しみ感を高めることができる。
【００５３】
次に図１３、図１４を用いて、他の実施形態について説明する。
【００５４】
図１３において、実施形態による車両用表示装置１は、制御手段１０３の入力側に選択手段３０１と登録手段３０２とを設け、選択手段３０１によって利用者が背景画像を選択でき、登録手段３０２によって利用者が新たな背景画像を登録できるようになっており、その他の点は図２と同じである。なお符号３０３、３０４は端子である。
【００５５】
図１４は、画像記憶手段１０５の記憶内容を示すもので、２種類の画像記憶エリアＡ，Ｂを有している。図中、左側となる画像記憶エリアＡには、図２と同様に背景画像２０１ａ〜２０１ｄが格納されている。符号２００ａ〜２００ｅにて示すエリア番号内の数字（ここでは全て「０」番が格納されている）は、背景画像２０１ａ〜２０１ｄの選択タイミングを示すが、本実施形態では選択手段３０１からの選択信号（選択情報）を受けて、エリア番号内の数字を書換えることが可能である。これにより、各タイミング２００ａ〜２００ｅにおいて任意の背景画像２０１ａ〜２０１ｄの選択が可能となる。なお「０」番なるエリア番号内の数字は、背景画像２０１ａ〜２０１ｄが未使用であることを示す。
【００５６】
また図中、右側となる画像記憶エリアＢには、登録手段３０２を介して登録された背景画像４０１ａ〜４０１ｅが格納されている。符号４００ａ〜４００ｅにて示すエリア番号内の数字（１〜５番）は、背景画像４０１ａ〜４０１ｅの選択タイミングを示し、その具体例は、選択タイミング２００ａ〜２００ｅと同じである。なお、ここでは、説明の簡単化のため音／音声の記述は省略した。また、登録の具体的な方法は、パソコンの記憶蝶体を介するもの、無線を介するもの等が、特開平１２−２３８５５２号公報で開示されており、ここでは省略する。
【００５７】
以上のように、本実施形態では、利用者の好みに応じて背景画像２０１ａ〜２０１ｄを選択可能とする選択手段３０１を有し、制御手段１０３が選択手段３０１による選択信号に基づいて背景画像２０１ａ〜２０１ｄを選択し切換表示することにより、背景画像２０１ａ〜２０１ｄを利用者の好みに応じ選択することができ、マルチディスプレイ装置１０の自由度を活かした個性化を図ることができる。
【００５８】
また本実施形態では、利用者の好みに応じて背景画像４０１〜４０１ｅを予め登録可能とする登録手段３０２を有し、制御手投１０３が登録手段３０２による登録情報に基づいて背景画像４０１〜４０１ｅを選択し、切換表示することにより、マルチディスプレイ装置１０の自由度を活かした演出が可能となる。なお各タイミング４００ａ〜４００ｅにおいて、ユーザーが任意の背景画像４０１ａ〜４０１ｅを選択できるようにしてもよいし、予め用意された背景画像２０１ａ〜２０１ｄと、予めユーザーによって登録された背景画像４０１ａ〜４０１ｅの中から、任意の画像を選択できるように構成してもよ
【図面の簡単な説明】
【００５９】
【図１】本発明の実施形態による車両用表示装置の正面図。
【図２】同実施形態による車両用表示装置のシステム構成を示すブロック図。
【図３】同実施形態による画像記憶手段の記憶内容を示す図。
【図４】同実施形態によるマルチディスプレイ装置の表示例を示す図。
【図５】同実施形態によるマルチディスプレイ装置の表示例を示す図。
【図６】同実施形態によるマルチディスプレイ装置の表示例を示す図。
【図７】同実施形態によるマルチディスプレイ装置の表示例を示す図。
【図８】同実施形態によるマルチディスプレイ装置の表示例を示す図。
【図９】同実施形態によるマルチディスプレイ装置の表示例を示す図。
【図１０】同実施形態によるマルチディスプレイ装置の表示例を示す図。
【図１１】同実施形態によるマルチディスプレイ装置の警報報知例を示す図。
【図１２】同実施形態によるマルチディスプレイ装置の撮像情報表示例を示す図。
【図１３】本発明の他の実施形態による車両用表示装置のシステム構成を示すブロック図。
【図１４】同実施形態による車両用表示装置の画像記憶手段の記憶内容を示す図。
【符号の説明】
【００６０】
１  車両用表示装置
１０  マルチディスプレイ装置（ディスプレイ装置）
２０  アナログゲージ
２１  回転計
２２  燃料計
２３  温度計
１０１  車両インターフェース端子
１０２  インターフエース手段
１０３  制御手段
１０４  プログラム記憶手段
１０５  画像記憶手段
１０６  表示駆動手段
１０７  ゲージ駆動手段
１０８  音／音声再生手段（聴覚情報再生手段）
１０９  スピーカ（聴覚情報再生手段）
２００ａ〜２００ｅ，４００ａ〜４００ｅ  選択タイミング
２０１ａ〜２０１ｄ，４０１ａ〜４０１ｅ  背景画像
２０２ａ  音楽（聴覚情報）
２０２ｅ〜２０２ｅ  音声（聴覚情報）
２０５  表示エリア
３０１  選択手段
３０２  手段登録
３０３，３０４  端子
４０１ａ〜４０１ｅ  背景画像
４００ａ〜４００ｄ  選択タイミング
【図１】
2008250329.tif 000003
【図２】
2008250329.tif 000004
【図３】
2008250329.tif 000005
【図４】
2008250329.tif 000006
【図５】
2008250329.tif 000007
【図６】
2008250329.tif 000008
【図７】
2008250329.tif 000009
【図８】
2008250329.tif 000010
【図９】
2008250329.tif 000011
【図１０】
2008250329.tif 000012
【図１１】
2008250329.tif 000013
【図１２】
2008250329.tif 000014
【図１３】
2008250329.tif 000015
【図１４】
2008250329.tif 000016